(57)【要約】【課題】              携帯通信装置におけるユーザデータの不慮の消失に備えた構成を提供する。【解決手段】          携帯通信装置は、電源オン、オフ動作が行った際に、その履歴を記録する。電源操作が正常に行われた場合、電源オン、オフが交互に記録されるところ、電源オンが連続して記録されることにより、正常でない電源断が生じたことを検出することができる。携帯通信装置は、このことを利用して、所定のタイミングで電源オン、オフの履歴を検査し、異常が認められた場合に、ユーザデータの自動バックアップ若しくはバックアップを促すメッセージの表示等を行う。【選択図】            図４
2006270859.tif 000002
【特許請求の範囲】
【請求項１】
ユーザデータと、電源がオンオフされた履歴とを記憶保持可能な記憶部と、
電源のオンオフの履歴を前記記憶部に記録するとともに、所定のタイミングで前記電源のオンオフの履歴を検査し、電源オンが所定回数以上連続して行われている場合に、前記記憶部に記憶保持されたユーザデータを所定のバックアップ先にバックアップする制御部と、を備えたこと、
を特徴とする携帯通信装置。
【請求項２】
前記制御部は、前記記録した履歴中に電源オンの連続が所定回数以上検出された場合に、前記記憶部に記憶保持されたユーザデータを所定のバックアップ先にバックアップすること、
を特徴とする請求項１に記載の携帯通信装置。
【請求項３】
前記制御部は、前記ユーザデータのバックアップの前に、前記ユーザデータのバックアップを指示する警告動作を行うこと、
を特徴とする請求項１又は２に記載の携帯通信装置。
【請求項４】
前記制御部は、前記ユーザデータのバックアップに代えて、前記ユーザデータのバックアップを指示する警告動作を行うこと、
を特徴とする請求項１又は２に記載の携帯通信装置。
【請求項５】
携帯通信装置におけるユーザデータの保護方法であって、
前記携帯通信装置が、電源のオン動作、オフ動作の際に、記憶部に前記電源のオンオフ動作の履歴を記録するステップと、
前記携帯通信装置が、所定のタイミングで前記電源のオンオフ動作の履歴を検査し、電源オンが連続して行われている場合に、前記記憶部に記憶保持されたユーザデータを所定のバックアップ先にバックアップするステップと、を含むこと、
を特徴とする携帯通信装置におけるユーザデータの保護方法。
【請求項６】
前記携帯通信装置は、前記電源のオンオフ動作の履歴の検査の結果、電源オンの連続が所定回数以上検出された場合に、前記記憶部に記憶保持されたユーザデータを所定のバックアップ先にバックアップすること、
を特徴とする請求項５に記載の携帯通信装置におけるユーザデータの保護方法。
【請求項７】
更に、前記携帯通信装置が、前記ユーザデータのバックアップを指示する警告動作を行うステップを含むこと、
を特徴とする請求項５又は６に記載の携帯通信装置におけるユーザデータの保護方法。
【請求項８】
前記携帯通信装置は、前記ユーザデータのバックアップに代えて、前記ユーザデータのバックアップを指示する警告動作を実行すること、
を特徴とする請求項５又は６に記載の携帯通信装置におけるユーザデータの保護方法。
【請求項９】
電源のオン動作、オフ動作の際に、記憶部に前記電源のオンオフ動作の履歴を記録する処理と、
所定のタイミングで前記電源のオンオフ動作の履歴を検査し、該履歴中に電源オンが連続して行われている場合に、前記記憶部に記憶保持されたユーザデータを所定のバックアップ先にバックアップする処理と、の前記各処理を携帯通信装置に実行させるプログラム。
【請求項１０】
前記記憶部に記憶保持されたユーザデータを所定のバックアップ先にバックアップする処理は、前記電源のオンオフ動作の履歴の検査の結果、電源オンの連続が所定回数以上検出された場合に実行されることを特徴とする請求項９に記載のプログラム。
【請求項１１】
更に、前記ユーザデータのバックアップを指示する警告動作を行う処理を、前記携帯通信装置に実行させることを特徴とする請求項９又は１０に記載のプログラム。
【請求項１２】
前記ユーザデータのバックアップに代えて、前記ユーザデータのバックアップを指示する警告動作を前記携帯通信装置に実行させることを特徴とする請求項９又は１０に記載のプログラム。
【発明の詳細な説明】
【技術分野】
【０００１】
本発明は、携帯電話機、ＰＤＡ（Ｐｅｒｓｏｎａｌ  Ｄｉｇｉｔａｌ  Ａｓｓｉｓｔａｎｔ）等に代表される携帯通信装置におけるユーザデータの保護方法、携帯端末、及び、プログラムに関する。
【背景技術】
【０００２】
携帯通信装置の紛失に備え、販売店のバックアップ機器やパーソナルコンピュータのソフトウェアを利用して、電話帳、スケジュール帳、メモ帳、メールボックス、発着信履歴等のユーザデータのバックアップを取ることが推奨されている。また、特許文献１には、移動体通信網上にメモリバックアップセンタを設け、紛失時にもリモートでバックアップをとることをできるようにしたバックアップ方式が紹介されている。
【０００３】
また、特許文献２には、バックアップ先としてホームメモリ又は外部メモリを選択できるようにした携帯電話機が紹介されている。
【０００４】
【特許文献１】特開２０００−７８０７０号公報
【特許文献２】特開２００４−５６５６３号公報
【発明の開示】
【発明が解決しようとする課題】
【０００５】
大切なユーザデータを利用できなくなってしまう原因として、特許文献１に記載の携帯通信機器自体の紛失のほか、携帯通信機器の故障が挙げられる。故障中には、腐食や劣化により故障の程度が徐々に進行し、携帯通信機器を起動できない状態となるに至る、あるいは、メモリ内容が消失するに至るというケースがある。このような場合、上述した各特許文献の方式をもってしても、バックアップを取ることは不可能であり、できるだけ早い段階でバックアップをしておくことが望まれる。
【０００６】
本発明は、上記した事情に鑑みてなされたものであって、その目的とするところは、ユーザデータのバックアップを行う必要性の判定機能を備え、被害を最小限に食い止めるための動作を行う携帯通信機器を提供することを目的とする。
【課題を解決するための手段】
【０００７】
本発明の第１の視点によれば、ユーザデータと、電源がオンオフされた履歴とを記憶保持可能な記憶部と、電源のオンオフの履歴を前記記憶部に記録し、該履歴によりバックアップの必要性を判定する制御部と、を備える携帯通信装置が提供される。前記制御部は、所定のタイミングで、前記電源のオンオフの履歴を検査し、通常電源オンオフが交互に現れる履歴中に電源オンの履歴が連続して出現している場合に、データのバックアップを訴えるメッセージの出力や自動バックアップ等の前記記憶装置に記憶保持されたユーザデータの保護動作を実行する。
【０００８】
また、本発明の第２の視点によれば、上記した携帯通信装置を用いて実施することのできるユーザデータの保護方法、及び、上記した携帯通信装置内の制御部を構成するコンピュータに実行させるプログラムが提供される。
【発明の効果】
【０００９】
本発明によれば、早めにバックアップを取り、紛失・故障時のデータ復旧の可能性を高めることが可能となる。
【発明を実施するための最良の形態】
【００１０】
続いて、本発明を実施するための最良の形態について、図面を参照して詳細に説明する。図１は、本発明の第１の実施形態に係る携帯通信装置の概略構成を表したブロック図である。図１を参照すると、この携帯通信装置は、制御部１１と、表示部１２と、記憶部１３と、外部記憶装置１４と、入力部１５とを備えている。
【００１１】
制御部１１は、携帯通信装置各部の制御、演算処理を行うほか、図示しないＲＯＭ等に格納されたプログラムに従って後述する電源オンオフの記録と、記録した電源オンオフ履歴１３１の検査を行う。表示部１２は、液晶表示装置（ＬＣＤ）等で構成され、画像や文字等を表示する。記憶部１３は、フラッシュＲＯＭ等の電気的に書き換え可能な不揮発性メモリで構成され、後記する電源オンオフ履歴１３１及びユーザデータ１３２が保存される。外部記憶装置１４は、カード型やスティック型の着脱自在のメモリで構成され、ユーザデータ１３２のバックアップ先として利用される。入力部１５は、キーやポインティングデバイス等で構成され、ユーザからの入力を受け付ける。
【００１２】
続いて、上記構成からなる携帯通信装置の電源操作時に行われる処理について説明する。図２は、本実施形態に係る携帯通信装置における電源オン時の動作を表したフローチャートであり、図３は、同様に電源オフ時の動作を表したフローチャートである。図２、図３に示したとおり、携帯通信装置の制御部１１は、入力部１５の電源ボタンの押下等による電源オン操作（ステップＳ２１）、同電源ボタンの押下継続等による電源オフ操作（ステップＳ２３）が行われる度に、記憶部１３の電源オンオフ履歴１３１格納領域に電源オン／オフの履歴を記録していく（ステップＳ２２、Ｓ２４）。
【００１３】
上述したとおり、携帯通信装置の制御部１１は、上記電源オン操作、電源オフ操作が行われる度に、電源オン／オフ履歴１３１に電源操作内容（オン／オフ）を記録していくこととなるが、電池の脱着、ハードウェア不具合による電源断では、突如電源が断たれるため、上記電源オフの履歴を記録することは不可能となる。
【００１４】
図４は、ある時点における電源オンオフ履歴１３１の状態を表した図である。図４の例では、正規の電源オンと示された上から３番目の電源オン及び下から１番目の電源オンは、電源オフの後に記録されているため、正常に電源オフが行われた後の電源オンであったことを示している。一方、不正な電源ＯＮと示された下から４番目及び３番目の電源オンは、直前に電源オンが記録されており、正常に電源オフが行われていないことを示している。
【００１５】
図５は、電源オン時に、ユーザデータ１３２の保護動作の要否を判定する場合の処理の流れを表したフローチャートである。携帯通信装置の制御部１１は、毎電源オン時に、電源オンオフ履歴１３１を検査する（ステップＳ４１）。ここで、携帯通信装置の制御部１１は、直前に電源オフが記録されているか否かによって最近に行われた電源オン操作が不正な電源ＯＮに該当するか否かを判断する（ステップＳ４２）。
【００１６】
ステップＳ４２において、不正な電源ＯＮと判定した場合、携帯通信装置の制御部１１は、不正な電源ＯＮの発生回数を加算する（ステップＳ４３）。更に、携帯通信装置の制御部１１は、不正な電源ＯＮの発生回数が所定の閾値に達しているか否かを確認する（ステップＳ４４）。
【００１７】
ステップＳ４４において、不正な電源ＯＮの発生回数が所定の閾値に達したと判定した場合、携帯通信装置の制御部１１は、記憶部１３に保持されたユーザデータ１３２を外部記憶装置１４に出力する自動バックアップ処理を実行する（ステップＳ４５）。バックアップ終了後、携帯通信装置の制御部１１は、不正な電源ＯＮの発生回数を初期化する（ステップＳ４６）。
【００１８】
一方、ステップＳ４２において正常な電源ＯＮと判定した場合、及び、ステップＳ４４において不正な電源ＯＮの発生回数が所定の閾値に達していないと判定した場合は、不正な電源ＯＮの発生回数の加算や自動バックアップ動作を行うことなく、処理が継続される。
【００１９】
なお、上記ステップＳ４４において不正な電源ＯＮの発生回数と比較する閾値として、例えば、１を設定すれば不正な電源ＯＮが検出される度に毎回自動バックアップが行われ、３を設定すれば、不正な電源ＯＮが３回検出される度に自動バックアップが行われることになる。従ってこの閾値は、ユーザデータ１３２の重要度やユーザの使い勝手によって決せられるべきものであって、特に限定するものではない。
【００２０】
また、電源オンオフ履歴を検査するタイミングも、電源オン時に限ったものでなく、その他、ユーザが携帯通信装置の使用を終えた電源オフ時に上記検査を行うものとしても良いし、内部タイマを利用して所定の時間間隔毎に上記検査を行うものとしてもよい。これも、ユーザの使い勝手や携帯通信装置の用途等によって決せられるべきものであって、特に限定するものではない。
【００２１】
以上のとおり、本実施形態によれば、早い段階で、ユーザに何ら負担を掛けることなく（透過的に）、ユーザデータのバックアップを取ることが可能になる。特に、携帯電話機の場合にはユーザの身に付けて使用され、高温多湿な環境や急激な温湿度変化を受けることが多いが、こうした過酷な環境によって経時的に増加する電源の異常な挙動に基づき、バックアップを取ることができれば、ほぼ完全にユーザデータを復旧できる可能性は飛躍的に高まるものと考えられる。
【００２２】
また、上記した実施形態では、履歴中に電源オンが何回連続して出現したかではなく、不正な電源ＯＮが何回出現したかによってバックアップの要否を判定するものとしている。このため、電源オン３回連続は無いが、電源オン２回連続が多数出現している場合等もバックアップ要と判定できるものとなっており、単に電源オンの連続発生回数により判断する場合に比べて、より的確な判断を下せるものとなっている。
【００２３】
また、上記した実施形態では、ステップＳ４５において、携帯通信装置の制御部１１が、自動バックアップを行うものとして説明したが、上記自動バックアップに代えて、ユーザに対し警告動作を行うものとしても良い。例えば、警告動作として、図６に示した様に、バックアップを指示するメッセージを表示部１２に出力させるものとしても良いし、また、携帯通信装置に備えられたスピーカ等からバックアップを指示する音声や警告音等を出力させる構成を採ることができる。
【００２４】
また、上記警告動作を行う場合において、上述のバックアップ動作に入る閾値とは別の閾値を用いて、より低い回数の電源オンの連続にて警告動作が行われるように構成することも可能である。例えば、自動バックアップを行うための閾値として３を設定し、バックアップを行うべき旨の警告メッセージを出力するための閾値として２を設定すれば、不正な電源ＯＮの連続が２回検出されると、警告メッセージが表示され、不正な電源ＯＮの連続が３回検出された段階で自動バックアップを行う構成とすることができる。
【００２５】
また、上記した実施形態では、バックアップ先として外部記憶装置１４を用いるものとして説明したが、外部記憶装置１４を装着できない、あるいは、外部記憶装置１４が取り外されている状態の携帯通信装置については、バックアップ先として、特許文献１に記載されたようなバックアップセンタを用いることも可能である。また、上記バックアップセンタにバックアップをする前に、外部記憶装置１４を装着すべき旨のメッセージを表示部１２に出力させるものとしても良い。
【図面の簡単な説明】
【００２６】
【図１】本発明の第１の実施形態に係る携帯通信装置の概略構成を表したブロック図である。
【図２】本発明の第１の実施形態に係る携帯通信装置における電源オン時の動作を表したフローチャートである。
【図３】本発明の第１の実施形態に係る携帯通信装置における電源オフ時の動作を表したフローチャートである。
【図４】本発明の第１の実施形態に係る携帯通信装置における電源オンオフの履歴を説明するための図である。
【図５】本発明の第１の実施形態に係る携帯通信装置におけるバックアップの要否を判定するための処理の流れを表したフローチャートである。
【図６】本発明の第１の実施形態に係る携帯通信装置の動作を説明するための図である。
【符号の説明】
【００２７】
１１  制御部
１２  表示部
１３  記憶部
１４  外部記憶装置
１５  入力部
１３１  電源オンオフ履歴
１３２  ユーザデータ
【図１】
2006270859.tif 000003
【図２】
2006270859.tif 000004
【図３】
2006270859.tif 000005
【図４】
2006270859.tif 000006
【図５】
2006270859.tif 000007
【図６】
2006270859.tif 000008